(57)【要約】【課題】  起動操作後速やかに放送サービスの表示がなされ、且つ、特別に高価な機能部を持たない簡素な構成のデジタル放送受信装置を提供する。【解決手段】  第１のシステムコントローラ２４０は装置の起動後直ちに、ＯＳの稼動を俟つことなく、選局復調部２２０、多重分離（ＤＥＭＵＸ）及び暗号復号器２５０、音声デコーダ２６０、及び、画像合成器４００を初期化する。該初期化後、速やかに、部分サービスとしての映像及び音声の視聴サービスが提供される。第２のシステムコントローラ８１０は、装置の起動後、第２の処理系統に属する各機能ユニット及び関連する周辺機器等の初期化を俟つことなく直ちにＯＳを自己の管理下にある所定のＲＡＭに読み込み、更に、データ放送に係るデータ処理用のソフトウェアを起動する。【選択図】  図１
2006262090.tif 000002
【特許請求の範囲】
【請求項１】
デジタル放送を受信し適用された表示器に該受信されたデジタル放送に係る表示を行うデジタル放送受信装置であって、オペレーティングシステムの稼動に依存することなく動作可能であって起動後デジタル放送のデータに関する処理を実行するまでの時間が相対的に短い一乃至複数の機能ユニットが第１のシステムコントローラの管理下で動作するようにして構成された第１の処理系統と、オペレーティングシステムの稼動に依存して動作するようになされ起動後デジタル放送のデータに関する処理を実行するまでの時間が相対的に長い一乃至複数の機能ユニットが第２のシステムコントローラの管理下で動作するようにして構成された第２の処理系統と、を含んで構成され、前記第１の処理系統は、前記第２の処理系統に属する機能ユニットの稼動を俟つことなく当該デジタル放送受信装置の起動後速やかにデジタル放送サービスの視聴を含む部分サービスを提供可能になされ、前記第２のシステムコントローラは、当該オペレーティングシステムが稼動して自己の管理機能が始動した時点以降に当該デジタル放送サービスをフルサービスで提供するように構成されていることを特徴とするデジタル放送受信装置。
【請求項２】
前記第１の処理系統は、選局指令に応じて選局復調処理を行う選局復調部を一の機能ユニットとして含んで構成されていることを特徴とする請求項１に記載のデジタル放送受信装置。
【請求項３】
前記選局復調部は、前記第１のシステムコントローラとの協働によってＥＰＧデータを収集し、前記第１のシステムコントローラは該収集に係るＥＰＧデータを所定の記憶装置に蓄積することを特徴とする請求項２に記載のデジタル放送受信装置。
【請求項４】
前記第１の処理系統は、前記機能ユニットとして、選局指令に応じて選局復調処理を行う選局復調部、前記選局復調部から出力されるＴＳ（トランスポートストリーム）から映像パケット及び音声パケットを分離抽出するデマルチプレクサ、スクランブルされたＴＳを復号する暗号復号器、及び、記憶装置を夫々含み、これらの機能ユニットと前記第１のシステムコントローラとを含んでなる選局制御部を包摂して構成され、該選局制御部は、前記第１のシステムコントローラの管理下で、ＰＡＴ（プログラムアソシエーションテーブル）、ＰＭＴ（プログラムマップテーブル）、ＮＩＴ（ネットワークインフォメーションテーブル）、ＣＡＴ（コンディションアクセステーブル）等の番組情報の解析機能を保有することを特徴とする請求項１に記載のデジタル放送受信装置。
【請求項５】
前記第１の処理系統は、前記機能ユニットとして、選局指令に応じて選局復調処理を行う選局復調部、前記選局復調部から出力されるＴＳ（トランスポートストリーム）から映像パケット及び音声パケットを分離抽出するデマルチプレクサ、スクランブルされたＴＳを復号する暗号復号器、映像のＴＳに基づいて所定の表示器に表示可能な態様のデータを生成する映像デコーダ、音声のＴＳに基づいて所定のスピーカで再生可能な態様のデータを生成する音声デコーダ、及び、前記映像デコーダの出力に文字情報等を重畳させる画像合成器を夫々含み、前記第１のシステムコントローラは当該デジタル放送受信装置の起動後直ちにオペレーティングシステムの稼動を俟つことなく前記選局復調部、デマルチプレクサ、暗号復号器、音声デコーダ、及び、画像合成器を初期化することを特徴とする請求項１に記載のデジタル放送受信装置。
【請求項６】
前記第１のシステムコントローラは、前記初期化に次いで、自己の管理下に置かれ番組情報テーブルが用意された記憶装置における当該番組情報テーブルを参照して前記選局復調部に指令を供給して選局復調処理を行わせることを特徴とする請求項５に記載のデジタル放送受信装置。
【請求項７】
前記第１のシステムコントローラは、前記選局復調処理として、前記記憶装置から目的とする選局に対応した周波数情報を読み出して前記選局復調部に設定する処理、デマルチプレクサを制御してＮＩＴ（ネットワークインフォメーションテーブル）、ＰＡＴ（プログラムアソシエーションテーブル）、ＰＭＴ（プログラムマップテーブル）、ＣＡＴ（コンディションアクセステーブル）、ＥＭＭ（エンタイトルメントマネージメントメッセージ）、ＥＣＭ（エンタイトルメントコントロールメッセージ）を取り出す処理、前記ＮＩＴ、ＰＡＴ、ＰＭＴ、ＣＡＴ、ＥＭＭ、ＥＣＭを解析して暗号復号器に鍵を設定し暗号化された映像と音声のストリームを復号する処理、前記ＮＩＴ、ＰＡＴ、ＰＭＴを解析して、前記デマルチプレクサに映像及び音声のＰＩＤ（パケットアイデンティファイア）を設定して前記映像デコーダ及び前記音声デコーダを動作させる処理を実行することを特徴とする請求項６に記載のデジタル放送受信装置。
【請求項８】
前記第２のシステムコントローラは、当該デジタル放送受信装置の起動後、前記第２の処理系統に属する各機能ユニット及び関連する周辺機器等の初期化を俟つことなく直ちにオペレーティングシステムを自己の管理下にある所定のＲＡＭに読み込み、更に、データ放送に係るデータ処理用のソフトウェアを起動することを特徴とする請求項１に記載のデジタル放送受信装置。
【請求項９】
前記第２のシステムコントローラは、当該オペレーティングシステムを自己の管理下にある所定のＲＡＭに読み込み、更に、データ放送に係るデータ処理用のソフトウェアを起動して以降は、データ放送の表示、ＥＰＧデータの表示、及び関連する周辺機器との関連動作に係る管理を実行することを特徴とする請求項１に記載のデジタル放送受信装置。
【請求項１０】
前記第２のシステムコントローラは、当該オペレーティングシステムが稼動して自己の管理機能が始動した時点以降に前記第１のシステムコントローラを自己の管理下に置いて第１の処理系統に属する各機能ユニットの管理を第１のシステムコントローラを介して行うように連携動作して当該デジタル放送サービスをフルサービスで提供するように構成されていることを特徴とする請求項１に記載のデジタル放送受信装置。
【発明の詳細な説明】
【技術分野】
【０００１】
本発明は、例えばデジタルテレビ受像機のようなデジタル放送受信装置に関し、より詳細には、起動後速やかに放送サービスを視聴できるようにしたデジタル放送受信装置に関する。
【背景技術】
【０００２】
近年、デジタル放送の高機能化に対応するため、その受信機には極めて高度な情報処理機能が搭載されるようになり、その機能の水準はパーソナルコンピュータと同等かそれ以上に及ぶ場合もある。このような事情に伴い、電源投入からサービス開始までに多くの初期化処理が必要であり、その処理に数十秒から数分かかり、ユーザは相応の時間待機しなくてはならないという問題がある。
【０００３】
このような待機の時間を短縮するための技術も提案されている。一つの提案では、フルサービスを提供するより前に、部分サービス提供タスクが、サービス処理モジュールのうち必要な部分のみを初期化し、部分サービスを早期に提供する。これにより、電源投入あるいはリセットから部分サービスが提供されるまでの待ち時間を短縮するというものである。
【０００４】
特に、部分サービスに映像サービスを含めているので、電源投入あるいはリセットした時に、ユーザは早期に番組を視聴することができる。また、必要なパラメータを共有メモリ領域に配置して、部分サービス提供タスクからフルサービス提供タスクへ引き継ぐことにより、タスク切り替え時のオーバーヘッドを削減し、部分サービスからフルサービスへ速やかに移行することができるとされている。
【０００５】
尚、ソフトウェアの初期化がすべて完了した状態で提供可能なサービスの全体を「フルサービス」と呼び、フルサービスのうちから選択した一部のサービスを「部分サービス」と呼ぶ。部分サービスには、受信信号に基づき映像音声信号を再生する映像サービスを含めることとする。映像サービス以外にも、各サービスの内容や初期化に要する時間などに基づき、任意のサービスを部分サービスとして選択することができる。例えば、ユーザ認証を必要としないサービスの全体を（映像サービスを含めて）、部分サービスとして選択することができるとされている（特許文献１参照）。
【０００６】
また一方、視聴開始時に、記憶装置の番組情報を参照し、前回視聴したチャンネル或いは番組を選択し、視聴開始迄の待ち時間を短縮するべく、一伝送帯域内に複数の番組と前記番組の受信に必要な番組情報を多重したデジタル放送信号を受信する受信方式において、少なくとも現在受信中の番組を受信するのに必要な番組情報が、停電、電源オフ時でも保持能力を有するメモリに記憶されているようにし、受信再開時にはこのメモリの番組情報を用いてデマックス処理を行うといった提案もなされている。
【０００７】
番組に多重して放送される番組情報を、記憶する記憶装置を持つことにより、視聴開始時に、記憶装置の番組情報を参照し、前回視聴したチャンネルあるいは番組を選択し、視聴開始迄の待ち時間を短縮することができる。また、移動受信のように受信状態が変動するような場合には、受信条件が悪化した時は、悪化する以前にストアした番組情報を元にして、番組を選択することができ、番組選択時に不良受信が行われるような事態を防止できるとされている（特許文献２参照）。
【特許文献１】特開２００３−１１５７７５号公報（段落００３０、段落００４９、図４）
【特許文献１】特開平８−５６２０５号公報（段落００２１〜００２２、段落００６１、図１）
【発明の開示】
【発明が解決しようとする課題】
【０００８】
上述した特許文献１の技術では、受信機の機能を部分サービスタスクとフルサービスタスクに分け、動作手順として、ＯＳ（オペレーティングシステム）を読み込んで、部分サービスの初期化が完了してから、フルサービスの初期化を行うため、フルサービスを開始するまでの時間は、結局長くなってしまう。また、また、フルサービス部分は、部分サービスを含んでいるので、フルサービスができる状態に至って以降は部分サービス部分が無駄になってしまう。更にＯＳと部分サービスタスクをＲＡＭに読み込んで動作することを前提としているので、十数秒の時間を必要とすることになる。従って、原理的に、表示の開始までの待機時間をこれ以上短縮することが難しい。
【０００９】
また、特許文献２の技術では、高機能化されたデジタル放送に対応するには、高速且つ大容量のメモリとＣＰＵを必要とするので、高価な装置となる。
本発明は叙上のような状況に鑑みてなされたものであり、特別に高価な機能部を持たない簡素な構成でありながら、装置の起動操作後速やかに放送サービスの表示がなされ得るデジタル放送受信装置を提供することを目的としている。
【課題を解決するための手段】
【００１０】
上記課題を解決するべく、本願では次に列記するような技術を提案する。
（１）デジタル放送を受信し適用された表示器に該受信されたデジタル放送に係る表示を行うデジタル放送受信装置であって、オペレーティングシステムの稼動に依存することなく動作可能であって起動後デジタル放送のデータに関する処理を実行するまでの時間が相対的に短い一乃至複数の機能ユニットが第１のシステムコントローラの管理下で動作するようにして構成された第１の処理系統と、オペレーティングシステムの稼動に依存して動作するようになされ起動後デジタル放送のデータに関する処理を実行するまでの時間が相対的に長い一乃至複数の機能ユニットが第２のシステムコントローラの管理下で動作するようにして構成された第２の処理系統と、を含んで構成され、前記第１の処理系統は、前記第２の処理系統に属する機能ユニットの稼動を俟つことなく当該デジタル放送受信装置の起動後速やかにデジタル放送サービスの視聴を含む部分サービスを提供可能になされ、前記第２のシステムコントローラは、当該オペレーティングシステムが稼動して自己の管理機能が始動した時点以降に当該デジタル放送サービスをフルサービスで提供するように構成されていることを特徴とするデジタル放送受信装置。
【００１１】
上記（１）のデジタル放送受信装置によれば、第１のシステムコントローラの管理下で動作する第１の処理系統によって、第２の処理系統に属する機能ユニットの稼動を俟つことなく当該デジタル放送受信装置の起動後速やかにデジタル放送サービスの視聴を含む部分サービスが提供可能になる。この第１の処理系統による部分サービス提供までの動作はオペレーティングシステムの稼動に依存することなく動作可能であって起動後デジタル放送のデータに関する処理を実行するまでの時間が相対的に短い一乃至複数の機能ユニットによって遂げられる。
【００１２】
一方、第２のシステムコントローラの管理下で動作する第２の処理系統では、第１の処理系統によって部分サービスが提供されている間に、相対的に長い時間を要するオペレーティングシステムの稼動に依存する動作の準備を実行し、該準備が整った時点以降に当該デジタル放送サービスをフルサービスで提供する。このため、視聴者は実質的に待機時間を挟むことなく当該デジタル放送受信装置の起動後速やかに映像を視聴することができ、且つ、第２の処理系統の動作に係る準備が整った時点以降はフルサービスを享受できることになる。
【００１３】
（２）前記第１の処理系統は、選局指令に応じて選局復調処理を行う選局復調部を一の機能ユニットとして含んで構成されていることを特徴とする（１）に記載のデジタル放送受信装置。
上記（２）のデジタル放送受信装置によれば、（１）のデジタル放送受信装置による作用において特に、第１の処理系統は、選局指令に応じて選局復調処理を行う選局復調部を一の機能ユニットとして含んで構成されているため、専ら第１の処理系統によって部分サービスが支障なく提供される。
【００１４】
（３）前記選局復調部は、前記第１のシステムコントローラとの協働によってＥＰＧデータを収集し、前記第１のシステムコントローラは該収集に係るＥＰＧデータを所定の記憶装置に蓄積することを特徴とする（２）に記載のデジタル放送受信装置。
上記（３）のデジタル放送受信装置によれば、（２）のデジタル放送受信装置による作用において特に、選局復調部と第１のシステムコントローラとの協働によって、ＥＰＧデータの収集と蓄積までの、相対的にデータ処理としての負荷が軽度な処理を速やかに実行してＥＰＧに係る後の利用の準備をすることができる。
【００１５】
（４）前記第１の処理系統は、前記機能ユニットとして、選局指令に応じて選局復調処理を行う選局復調部、前記選局復調部から出力されるＴＳ（トランスポートストリーム）から映像パケット及び音声パケットを分離抽出するデマルチプレクサ、スクランブルされたＴＳを復号する暗号復号器、及び、記憶装置を夫々含み、これらの機能ユニットと前記第１のシステムコントローラとを含んでなる選局制御部を包摂して構成され、該選局制御部は、前記第１のシステムコントローラの管理下で、ＰＡＴ（プログラムアソシエーションテーブル）、ＰＭＴ（プログラムマップテーブル）、ＮＩＴ（ネットワークインフォメーションテーブル）、ＣＡＴ（コンディションアクセステーブル）等の番組情報の解析機能を保有することを特徴とする（１）に記載のデジタル放送受信装置。
【００１６】
上記（４）のデジタル放送受信装置によれば、（１）のデジタル放送受信装置による作用において特に、第１の処理系統は、選局指令に応じて選局復調処理を行う選局復調部、この選局復調部から出力されるＴＳ（トランスポートストリーム）から映像パケット及び音声パケットを分離抽出するデマルチプレクサ、スクランブルされたＴＳを復号する暗号復号器、及び、記憶装置を夫々含み、これらの機能ユニットが第１のシステムコントローラによる管理下で動作するように構成された選局制御部を包摂して構成され、この選局制御部は、ＰＡＴ（プログラムアソシエーションテーブル）、ＰＭＴ（プログラムマップテーブル）、ＮＩＴ（ネットワークインフォメーションテーブル）、ＣＡＴ（コンディションアクセステーブル）等の番組情報の解析機能を保有する。
【００１７】
このため、第２の処理系統において相対的に長い時間を要するオペレーティングシステムの稼動に依存する動作の準備が実行されている期間に、第１の処理系統において第２の処理系統には依存せず当該デジタル放送サービスのフルサービスの部分に該当する部分サービスを支障なく提供しておくことができ、第２の処理系統側での準備動作の負担が軽減されて、装置全体としてのデータ処理の効率が向上し、ひいては、フルサービスを開始できるまでの時間も短縮され得る。
【００１８】
（５）前記第１の処理系統は、前記機能ユニットとして、選局指令に応じて選局復調処理を行う選局復調部、前記選局復調部から出力されるＴＳ（トランスポートストリーム）から映像パケット及び音声パケットを分離抽出するデマルチプレクサ、スクランブルされたＴＳを復号する暗号復号器、映像のＴＳに基づいて所定の表示器に表示可能な態様のデータを生成する映像デコーダ、音声のＴＳに基づいて所定のスピーカで再生可能な態様のデータを生成する音声デコーダ、及び、前記映像デコーダの出力に文字情報等を重畳させる画像合成器を夫々含み、前記第１のシステムコントローラは当該デジタル放送受信装置の起動後直ちにオペレーティングシステムの稼動を俟つことなく前記選局復調部、デマルチプレクサ、暗号復号器、音声デコーダ、及び、画像合成器を初期化することを特徴とする（１）に記載のデジタル放送受信装置。
【００１９】
上記（５）のデジタル放送受信装置によれば、（１）のデジタル放送受信装置による作用において特に、第１の処理系統では、第１のシステムコントローラによる管理下で、選局復調部によって選局指令に応じて選局復調処理が実行されてＴＳ（トランスポートストリーム）が出力され、デマルチプレクサによって該ＴＳから映像パケット及び音声パケットを分離抽出され、更に、後段の、暗号復号器、映像デコーダ及び音声デコーダ、並びに、画像合成器を通して、部分サービスとしての映像及び音声の視聴サービスが提供されることになる。尚、各機能ユニットによって上記の処理を実行する当初において、第１のシステムコントローラによる管理下で、一旦初期化が行われる。
【００２０】
（６）前記第１のシステムコントローラは、前記初期化に次いで、自己の管理下に置かれ番組情報テーブルが用意された記憶装置における当該番組情報テーブルを参照して前記選局復調部に指令を供給して選局復調処理を行わせることを特徴とする（５）に記載のデジタル放送受信装置。
【００２１】
上記（６）のデジタル放送受信装置によれば、（５）のデジタル放送受信装置による作用において特に、部分サービスとしての映像及び音声の視聴サービスを当該番組情報テーブルの情報に依拠した選局で提供することができる。
【００２２】
（７）前記第１のシステムコントローラは、前記選局復調処理として、前記記憶装置から目的とする選局に対応した周波数情報を読み出して前記選局復調部に設定する処理、デマルチプレクサを制御してＮＩＴ（ネットワークインフォメーションテーブル）、ＰＡＴ（プログラムアソシエーションテーブル）、ＰＭＴ（プログラムマップテーブル）、ＣＡＴ（コンディションアクセステーブル）、ＥＭＭ（エンタイトルメントマネージメントメッセージ）、ＥＣＭ（エンタイトルメントコントロールメッセージ）を取り出す処理、前記ＮＩＴ、ＰＡＴ、ＰＭＴ、ＣＡＴ、ＥＭＭ、ＥＣＭを解析して暗号復号器に鍵を設定し暗号化された映像と音声のストリームを復号する処理、前記ＮＩＴ、ＰＡＴ、ＰＭＴを解析して、前記デマルチプレクサに映像及び音声のＰＩＤ（パケットアイデンティファイア）を設定して前記映像デコーダ及び前記音声デコーダを動作させる処理を実行することを特徴とする（６）に記載のデジタル放送受信装置。
【００２３】
上記（７）のデジタル放送受信装置によれば、（６）のデジタル放送受信装置による作用において特に、第１のシステムコントローラは、前記選局復調処理として、前記記憶装置から目的とする選局に対応した周波数情報を読み出して前記選局復調部に設定する処理、デマルチプレクサを制御してＮＩＴ（ネットワークインフォメーションテーブル）、ＰＡＴ（プログラムアソシエーションテーブル）、ＰＭＴ（プログラムマップテーブル）、ＣＡＴ（コンディションアクセステーブル）、ＥＭＭ（エンタイトルメントマネージメントメッセージ）、ＥＣＭ（エンタイトルメントコントロールメッセージ）を取り出す処理、前記ＮＩＴ、ＰＡＴ、ＰＭＴ、ＣＡＴ、ＥＭＭ、ＥＣＭを解析して暗号復号器に鍵を設定し暗号化された映像と音声のストリームを復号する処理、前記ＮＩＴ、ＰＡＴ、ＰＭＴを解析して、前記デマルチプレクサに映像及び音声のＰＩＤ（パケットアイデンティファイア）を設定して前記映像デコーダ及び前記音声デコーダを動作させる処理を実行するため、第１の処理系統によって部分サービスが提供され、この部分サービスに係る映像及び音声を視聴することが支障なく行われ得る。
【００２４】
（８）前記第２のシステムコントローラは、当該デジタル放送受信装置の起動後、前記第２の処理系統に属する各機能ユニット及び関連する周辺機器等の初期化を俟つことなく直ちにオペレーティングシステムを自己の管理下にある所定のＲＡＭに読み込み、更に、データ放送に係るデータ処理用のソフトウェアを起動することを特徴とする（１）に記載のデジタル放送受信装置。
【００２５】
上記（８）のデジタル放送受信装置によれば、（１）のデジタル放送受信装置による作用において特に、第２のシステムコントローラは、当該デジタル放送受信装置の起動後、前記第２の処理系統に属する各機能ユニット及び関連する周辺機器等の初期化を俟つことなく直ちにオペレーティングシステムを自己の管理下にある所定のＲＡＭに読み込み、更に、データ放送に係るデータ処理用のソフトウェアを起動する。このため、上記の各機能ユニット及び関連する周辺機器等の初期化に拘束されずに速やかにオペレーティングシステムの稼動に依存するデータ放送に係るデータ処理等を実行できるようにするための準備を整えることができる。
【００２６】
（９）前記第２のシステムコントローラは、当該オペレーティングシステムを自己の管理下にある所定のＲＡＭに読み込み、更に、データ放送に係るデータ処理用のソフトウェアを起動して以降は、データ放送の表示、ＥＰＧデータの表示、及び関連する周辺機器との関連動作に係る管理を実行することを特徴とする（１）に記載のデジタル放送受信装置。
【００２７】
上記（９）のデジタル放送受信装置によれば、（１）のデジタル放送受信装置による作用において特に、第２のシステムコントローラは、当該オペレーティングシステムを自己の管理下にある所定のＲＡＭに読み込み、更に、データ放送に係るデータ処理用のソフトウェアを起動して以降は、データ放送の表示、ＥＰＧデータの表示、及び関連する周辺機器との関連動作に係る管理を実行する。このため、オペレーティングシステムの稼動に依存するデータ放送の表示、ＥＰＧデータの表示、及び関連する周辺機器との関連動作に係る管理等が支障なく実行可能になる。
【００２８】
（１０）前記第２のシステムコントローラは、当該オペレーティングシステムが稼動して自己の管理機能が始動した時点以降に前記第１のシステムコントローラを自己の管理下に置いて第１の処理系統に属する各機能ユニットの管理を第１のシステムコントローラを介して行うように連携動作して当該デジタル放送サービスをフルサービスで提供するように構成されていることを特徴とする（１）に記載のデジタル放送受信装置。
【００２９】
上記（１０）のデジタル放送受信装置によれば、（１）のデジタル放送受信装置による作用において特に、第２のシステムコントローラは、当該オペレーティングシステムが稼動して自己の管理機能が始動した時点以降に第１のシステムコントローラを自己の管理下に置いて第１の処理系統に属する各機能ユニットの管理を第１のシステムコントローラを介して行うように連携動作して当該デジタル放送サービスをフルサービスで提供する。このため、該フルサービスを提供する動作に係って、第２のシステムコントローラは第１の処理系統に属する各機能ユニットの管理動作について第１のシステムコントローラによる管理下で行わせることができ、自己の負担が軽減した分について一層高機能な動作に対応することが可能になる。
【発明を実施するための最良の形態】
【００３０】
以下、本発明の実施の形態を図面を参照して説明する。尚、以下に参照する図においては、便宜上、説明の主題となる要部は適宜誇張し、要部以外については適宜簡略化し乃至省略されている。
また、本明細書において用いた頭字語は当業者において周知であるが、確認の便宜のため、末尾にて簡略な説明を附してある。
【００３１】
図１は、本発明の実施の形態としてのデジタル放送受信装置の構成を表すブロック図である。本実施の形態のデジタル放送受信装置において、アンテナ１００を通して選局制御部２００によって受信されたデジタル放送を選局処理し、該選局処理によって生成されたデータ（ＴＳ：トランスポートストリーム）に基づいて、表示処理部としての映像デコーダ３００、及び、画像合成器４００を通して表示器５００に表示可能な態様のデータを生成する。尚、ＴＳのうち音声のデータについては、音声デコーダ６００を通して復号され、スピーカ７００に供給される。
【００３２】
ここに、選局制御部２００は、例えば赤外光式のリモートコントローラから使用者による操作に応じて投射される信号を受ける受光部を備え、或いは、使用者による操作を直接的に受ける操作部材を有して構成される操作受付部としてのユーザインターフェース２１０と、供給された選局指令に応じて選局復調処理を行ってＴＳを生成する選局復調部２２０と、ユーザインターフェース２１０で受け付けた選局操作を含む操作に応じて当該選局指令を生成して選局復調部２２０に供給すると共にこの選局復調部２２０によって得たデータのうち所定のデータを（比較的大容量で不揮発性の、例えばハードディスクのような）記憶装置２３０に蓄積させる制御を行う第１のシステムコントローラ２４０とを含んで構成される。第１のシステムコントローラ２４０はマイクロプロセッサを主体に構成される。
【００３３】
この第１のシステムコントローラ２４０は、選局復調部２２０に本デジタル放送受信装置が受信待機モードにあるときにも常時継続的に選局復調処理を行なわせてデータ放送コンテンツ及びＥＰＧデータ（ＥＰＧによる番組表を編成するための基礎となるデータ）を取得させ且つ該取得されたデータ放送コンテンツ及びＥＰＧデータを上述のような記憶装置２３０に蓄積させる制御を行う。
【００３４】
ここに、記憶装置２３０におけるこのようなデータの蓄積は、夫々テーブル形式に編成して行われ、ＥＰＧデータに関してはＥＰＧテーブルが、データ放送コンテンツに関してはデータ放送テーブルが各編成される。また、チャンネル情報（放送サービスの情報）に関してはサービス情報テーブルが編成される。
上述の選局復調部２２０からＴＳを得るについては、多重分離（ＤＥＭＵＸ）及び暗号復号器２５０が介挿されており、この多重分離及び暗号復号器２５０で複写防止の暗号の復号処理が行われる。また、この多重分離及び暗号復号器２５０も第１のシステムコントローラ２４０の管理下で動作する。即ち、第１のシステムコントローラ２４０は、ユーザインターフェース２１０からの使用者による操作を認識し、この認識に基づいて各所要の制御動作を行うが、必ずしも、別段の直接的指令を俟つことなく、選局復調部２２０に対しては選局（仮想チャンネル乃至放送サービスの選択）と復調処理を実行させ、番組情報を解析し、また、ＥＰＧデータを解析する等々、選局制御部２００の系全体を統括的に管理する。更に、第１のシステムコントローラ２４０は、ＶＲＡＭ２６０を制御してここから読み出したキャラクタ等を既述の画像合成器４００で映像デコーダ３００の出力である映像に重畳させて表示器５００の画面にオンスクリーン表示させる。
【００３５】
一方、このような第１のシステムコントローラ２４０と連携して動作する（この第１のシステムコントローラ２４０に対してはスーパーバイザとしても機能する）第２のシステムコントローラ８１０を含むデータ処理部８００が設けられている。第２のシステムコントローラ８１０はＯＳに基づいて動作し、ＣＣ処理、データ放送の取り扱いや周辺機器の管理等を行うように構成されている。
【００３６】
また、ＶＲＡＭ８３０を制御してここから読み出したキャラクタ等を既述の画像合成器４００で映像デコーダ３００の出力である映像に重畳させて表示器５００の画面にオンスクリーン表示させる。この第２のシステムコントローラ８１０もマイクロプロセッサを主体に構成される。
図示の例では、第２のシステムコントローラ８１０は、ＬＡＮを通しての外部とのインターフェースとして機能する第１外部インターフェース８２１、ＵＳＢを通しての外部とのインターフェースとして機能する第２外部インターフェース８２２、ＩＥＥＥ１３９４に準拠した方式を用いて外部とのインターフェースとして機能する第３外部インターフェース８２３と接続されて、これらのインターフェースを通して外部、即ち、本デジタル放送受信装置の周辺機器と結ばれ、その管理を行い、また、連携動作を行う。
【００３７】
図１の実施の形態においては、オペレーティングシステムの稼動に依存することなく動作可能であって起動後デジタル放送のデータに関する処理を実行するまでの時間が相対的に短い機能ユニットとしての、ユーザインターフェース２１０、選局復調部２２０、（比較的大容量で不揮発性の、例えばハードディスクのような）記憶装置２３０、及び、多重分離（ＤＥＭＵＸ）及び暗号復号器２５０が第１のシステムコントローラ２４０の管理下で動作するようにして第１の処理系統が構成される。
【００３８】
一方、オペレーティングシステムの稼動に依存して動作するようになされ起動後デジタル放送のデータに関する処理を実行するまでの時間が相対的に長い機能ユニットとしてのＥＰＧ表示処理、ＣＣ処理、データ放送の表示処理、及び、外部インターフェース（第１外部インターフェース８２１、第２外部インターフェース８２２、第３外部インターフェース８２３）を通しての周辺機器との情報授受の管理に関する処理等が第２のシステムコントローラ８１０の管理下で動作するようにして第２の処理系統が構成される。
【００３９】
上述のような第１の処理系統は、第２の処理系統に属する機能ユニットの稼動を俟つことなくデジタル放送受信装置の起動後速やかにデジタル放送サービスの視聴を含む部分サービスを提供可能になされ、また、第２のシステムコントローラ８１０は、当該オペレーティングシステムが稼動して自己の管理機能が始動した時点以降に当該デジタル放送サービスをフルサービスで提供するように構成されている。
【００４０】
このため、視聴者は実質的に待機時間を挟むことなく当該デジタル放送受信装置の起動後速やかに映像を視聴することができ、且つ、第２の処理系統の動作に係る準備が整った時点以降はフルサービスを享受できることになる。この場合、第１の処理系統は、選局指令に応じて選局復調処理を行う選局復調部を一の機能ユニットとして含んで構成されているため、専ら第１の処理系統によって、当該デジタル放送受信装置の起動後速やかに、部分サービスとしてのデジタル放送サービスの視聴を支障なく可能にすることができる。
【００４１】
また、選局復調部２２０と第１のシステムコントローラ２４０との協働によって、ＥＰＧデータの収集と蓄積までの処理を行うように構成することもできる。このような構成を採る場合は、相対的にデータ処理としての負荷が軽度な処理を第１の処理系統によって速やかに実行してＥＰＧに係る後の利用の準備をすることができる。これにより当該デジタル放送受信装置の系全体としての処理効率が向上する。
【００４２】
更に、第１の処理系統に属する機能ユニットとこれらによって賄う機能に着目すれば、第１の処理系統は、ユーザインターフェース２１０で受け付けた選局操作に基づいて第１のシステムコントローラ２４０から発せられる選局指令に応じて選局復調処理を行う選局復調部２２０、この選局復調部２２０から出力されるＴＳから映像パッケト及び音声パッケトを分離抽出するデマルチプレクサ（ＤＥＭＵＸ及び暗号復号器２５０の該当部分）、スクランブルされたＴＳを復号する暗号復号器（ＤＥＭＵＸ及び暗号復号器２５０の該当部分）、及び、記憶装置２３０を夫々含み、これらの機能ユニットが第１のシステムコントローラ２４０による管理下で動作するように構成された選局制御部２００を包摂して構成され、この選局制御部２００は、ＰＡＴ（プログラムアソシエーションテーブル）、ＰＭＴ（プログラムマップテーブル）、ＮＩＴ（ネットワークインフォメーションテーブル）、ＣＡＴ（コンディションアクセステーブル）等の番組情報の解析機能を保有する。
【００４３】
このため、第２の処理系統において相対的に長い時間を要する、オペレーティングシステムの稼動に依存する動作の準備が実行されている期間に、第１の処理系統において第２の処理系統には依存せず当該デジタル放送サービスのフルサービスの部分に該当する部分サービスを支障なく提供しておくことができ、第２の処理系統側での準備動作の負担が軽減されて、当該デジタル放送受信装置全体としてのデータ処理の効率が向上するため、フルサービスを開始できるまでの時間も短縮され得る。
【００４４】
また一方、第１の処理系統は、機能ユニットとして、選局指令に応じて選局復調処理を行う選局復調部２２０、選局復調部２２０から出力されるＴＳから映像パッケト及び音声パッケトを分離抽出するデマルチプレクサ（ＤＥＭＵＸ及び暗号復号器２５０の該当部分）、スクランブルされたＴＳを復号する暗号復号器（ＤＥＭＵＸ及び暗号復号器２５０の該当部分）、映像のＴＳに基づいて所定の表示器に表示可能な態様のデータを生成する映像デコーダ３００、音声のＴＳに基づいて所定のスピーカで再生可能な態様のデータを生成する音声デコーダ６００、及び、映像デコーダ３００の出力に文字情報等を重畳させる画像合成器４００を夫々含み、第１のシステムコントローラ２４０は当該デジタル放送受信装置の起動後直ちに、オペレーティングシステムの稼動を俟つことなく、選局復調部２２０、デマルチプレクサ（ＤＥＭＵＸ及び暗号復号器２５０の該当部分）、暗号復号器（ＤＥＭＵＸ及び暗号復号器２５０の該当部分）、音声デコーダ２６０、及び、画像合成器４００を初期化するように構成され得る。この初期化後、速やかに、部分サービスとしての映像及び音声の視聴サービスが提供されることになる。
【００４５】
尚、第１のシステムコントローラ２４０は、上述の初期化に次いで、自己の管理下に置かれ番組情報テーブルが用意された記憶装置２３０における当該番組情報テーブルを参照して選局復調部２２０に指令を供給して選局復調処理を行わせるように構成することもできる。この場合は、特に、部分サービスとしての映像及び音声の視聴サービスを記憶装置２３０に用意した番組情報テーブルの情報に依拠した選局で提供することができる。
【００４６】
以上に述べた部分サービスとしてのデジタル放送サービスの視聴を可能にするために所要の機能ユニット及び作用について、より詳細に説明する。
即ち、第１のシステムコントローラ２４０は、選局復調処理として、記憶装置２３０から目的とする選局に対応した周波数情報を読み出して選局復調部２２０に設定する処理、デマルチプレクサ（ＤＥＭＵＸ及び暗号復号器２５０の該当部分）を制御してＮＩＴ（ネットワークインフォメーションテーブル）、ＰＡＴ（プログラムアソシエーションテーブル）、ＰＭＴ（プログラムマップテーブル）、ＣＡＴ（コンディションアクセステーブル）、ＥＭＭ（エンタイトルメントマネージメントメッセージ）、ＥＣＭ（エンタイトルメントコントロールメッセージ）を取り出す処理、前記ＮＩＴ、ＰＡＴ、ＰＭＴ、ＣＡＴ、ＥＭＭ、ＥＣＭを解析して暗号復号器（ＤＥＭＵＸ及び暗号復号器２５０の該当部分）に鍵を設定し暗号化された映像と音声のストリームを復号する処理、前記ＮＩＴ、ＰＡＴ、ＰＭＴを解析して、デマルチプレクサ（ＤＥＭＵＸ及び暗号復号器２５０の該当部分）に映像及び音声のＰＩＤ（パケットアイデンティファイア）を設定して前記映像デコーダ３００及び音声デコーダ６００を動作させる処理を実行する。これにより、部分サービスに係る映像及び音声を視聴することが可能になる。
【００４７】
他方、第２のシステムコントローラ８１０は、当該デジタル放送受信装置の起動後、第２の処理系統に属する各機能ユニット及び関連する周辺機器等の初期化を俟つことなく直ちにオペレーティングシステムを自己の管理下にある所定のＲＡＭ（不図示）に読み込み、更に、データ放送に係るデータ処理用のソフトウェアを起動する。このため、第２の処理系統に属する各機能ユニット及び関連する周辺機器等の初期化に拘束されずに、速やかにオペレーティングシステムの稼動に依存するデータ放送に係るデータ処理等を実行できるようにするための準備を整えることができる。
【００４８】
この場合、第２のシステムコントローラ８１０は、当該オペレーティングシステムを自己の管理下にある所定のＲＡＭに読み込み、更に、データ放送に係るデータ処理用のソフトウェアを起動して以降は、データ放送の表示、ＥＰＧデータの表示、及び関連する周辺機器との関連動作に係る管理を実行する。このため、オペレーティングシステムの稼動に依存するデータ放送の表示、ＥＰＧデータの表示、及び関連する周辺機器との関連動作に係る管理等が支障なく実行可能になる。
【００４９】
更にまた、第２のシステムコントローラ８１０は、当該オペレーティングシステムが稼動して自己の管理機能が始動した時点以降に第１のシステムコントローラ２４０を自己の管理下に置いて第１の処理系統に属する上述の各機能ユニットの管理を第１のシステムコントローラ２４０を介して行うように連携動作して当該デジタル放送サービスをフルサービスで提供する。
【００５０】
このため、該フルサービスを提供する動作に係って、第２のシステムコントローラ８１０は第１の処理系統に属する各機能ユニットの管理動作について直接関与せず、第１のシステムコントローラ２４０にいわば肩代わりさせることができ、自己の負担が軽減した分について一層高機能な動作に対応することが可能になる。次に、このような実施の形態の作用を図２を参照して説明する。
【００５１】
図２は、本発明の実施の形態における作用を従来例との比較において説明するための図である。図２（Ａ）は本発明の実施の形態における作用を表す図であり、図２（Ｂ）は特許文献１に提案の装置の作用を表す図であり、図２（Ｃ）は、特許文献１において従来例とされた装置の作用を表す図である。図中「ＣＰＵ」の表記は、各装置に適用されたシステムコントローラの中核をなすＣＰＵの意であり、既述のシステムコントローラは、この図２において「ＣＰＵ」であると解して支障はない。即ち、「ＣＰＵ１」は第１のシステムコントローラに該当し、「ＣＰＵ２」は第２のシステムコントローラに該当する。
【００５２】
図２（Ａ）のように、本発明の実施の形態では、デジタル放送受信装置の起動後、直ちに、「ＣＰＵ１」即ち、第１のシステムコントローラ２４０の管理下にある第１の処理系統に該当する機能ユニットが相対的に短時間で初期化される（ＣＰＵ１：左側の実線図示の部分）。このように相対的に短時間で初期化され得るのは、既述のように、ＯＳの読み込みを俟たずに初期化が行われるからである。この初期化に次いで、速やかに部分サービスとしての視聴サービスが行われるようになる（ＣＰＵ１：中間の破線図示の部分）。
【００５３】
この間に、「ＣＰＵ２」即ち、第２のシステムコントローラ８１０は、第２の処理系統に属する各機能ユニット及び関連する周辺機器等の初期化を俟つことなく、直ちにオペレーティングシステムを自己の管理下にある所定のＲＡＭ（不図示）に読み込み、更に、データ放送に係るデータ処理用のソフトウェアを起動する（ＣＰＵ２：左側の実線図示の部分）。
【００５４】
このため、第２の処理系統に属する各機能ユニット及び関連する周辺機器等の初期化に拘束されずに、速やかに、オペレーティングシステムの稼動に依存するデータ放送に係るデータ処理等を実行するための準備を整えることができる。この準備が整うと速やかにフルサービスが開始される（右側の破線図示の部分）。既述の通り、このようにしてフルサービスが開始されて以降は、第２のシステムコントローラ８１０は、第１のシステムコントローラ２４０を自己の管理下に置いて第１の処理系統に属する上述の各機能ユニットの管理を第１のシステムコントローラ２４０を介して行うように連携動作する。即ち、第１のシステムコントローラ２４０は第２のシステムコントローラ８１０からのコマンドを常時待機し、コマンドを受けたときには、該受けたコマンドを実行する。
【００５５】
図２（Ｂ）の特許文献１に提案の装置の場合では、受信信号に基づき映像音声信号を再生する映像サービス（部分サービス）を、ソフトウェアの初期化がすべて完了した状態で提供可能な全体のサービスであるフルサービスに先行して行う。このようにすることによって、視聴サービスの開始可能なタイミングを早めるというものである。一つのＣＰＵによって上述のようなシーケンスを実現している。
【００５６】
このため、図２（Ａ）の本発明の「ＣＰＵ１」におけるように視聴サービスを開始するために必要な機能ユニットについてはＯＳの読み込みを俟たずに初期化を行ってしまうのではなく、視聴サービスに開始に先行してＯＳの読み込みまでを実行するという形をとっている。従って、図２（Ｂ）のものにおける視聴サービスの開始のタイミングは、図２（Ａ）の本発明の場合に比し、当然ながら大幅に遅れることになる。
【００５７】
更に、フルサービスの提供までには、図２（Ａ）の本発明の「ＣＰＵ２」即ち、第２のシステムコントローラで賄う機能に相応する初期化とソフトウェアの読み込みといった準備動作が完了するのを待機しなくてはならず、フルサービスの提供が開始されるタイミングはこの待機に相当する時間分更に遅延することになる。
他方、図２（Ｃ）は、特許文献１における従来の装置の作用としては、所要の初期化、ＯＳの読み込み、及び、ソフトウェアの読み込みといった準備動作が完了するのを待機して、準備動作が完了してからは、当初からフルサービスを提供することになり、従って、元より、部分サービスとしての視聴サービスのみ先行して速やかに提供しようとする別段の配慮はない。
【００５８】
以上の説明で用いた頭字語について、確認のため、次のとおり簡単に補足する。
ＰＩＤ…ＴＳパケットにつけられたＩＤ、これを元にＤＥＭＵＸ（デマルチプレクサ）で振分けを行う。
ＮＩＴ…チャンネルと周波数の関連付け
ＰＡＴ…ＴＳ中のチャンネル数とＰＭＴのＰＩＤが書かれたテーブル
ＰＭＴ…ＴＳ中のチャンネルの音声パケットと映像パケットとデータパケットのＰＩＤが    書かれたテーブルＥＣＭのＰＩＤも記述される。
ＣＡＴ…ＥＭＭのＰＩＤが書かれたテーブル
ＥＭＭ…暗号解除用ＩＣカードに対するメッセージ
ＥＣＭ…暗号解除用の公開鍵
【図面の簡単な説明】
【００５９】
【図１】本発明の実施形態としてのデジタル放送受信装置の構成を表わすブロック図である。
【図２】本発明の実施の形態における作用を従来例との比較において説明するための図である。
【符号の説明】
【００６０】
１００…アンテナ  ２００…選局制御部  ２１０…ユーザインターフェース  ２２０…選局復調部  ２３０…記憶装置  ２４０…第１のシステムコントローラ  ２５０…多重分離（ＤＥＭＵＸ）及び暗号復号器  ２６０…ＶＲＡＭ  ３００…映像デコーダ  ４００…画像合成器  ５００…表示器  ６００…音声デコーダ  ７００…スピーカ  ８００…データ処理部  ８１０…第２のシステムコントローラ  ８２１…第１外部インターフェース  ８２２…第２外部インターフェース  ８２３…第３外部インターフェース  ８３０…ＶＲＡＭ
【図１】
2006262090.tif 000003
【図２】
2006262090.tif 000004